(57)【要約】【課題】映像信号ラインを介して伝送されるアナログ映像信号から外来ノイズを精度良く低減して映像Ｓ／Ｎ比を向上することができる映像信号処理装置を提供する。【解決手段】アナログ映像信号が映像信号ライン３０を介して伝送されるときに重畳される外来ノイズに相当するノイズを検出するように、その映像信号ライン３０に並行して配設されるノイズ検出ライン３１と、アナログ映像信号に重畳した外来ノイズをノイズ検出ライン３１により検出されたノイズを用いて相殺するアナログ信号処理部３２とを備える。【選択図】図３
2008301032.tif 000002
【特許請求の範囲】
【請求項１】
映像信号ラインを介して伝送されるアナログ映像信号から外来ノイズを除去する映像信号処理装置において、
上記アナログ映像信号が上記映像信号ラインを介して伝送されるときに重畳される外来ノイズに相当するノイズを検出するように、該映像信号ラインに並行して配設されるノイズ検出ラインと、
上記アナログ映像信号に重畳した外来ノイズを上記ノイズ検出ラインにより検出されたノイズを用いて相殺するアナログ信号処理部と
を、備えることを特徴とする映像信号処理装置。
【請求項２】
上記アナログ信号処理部は、上記ノイズ検出ラインにより検出されたノイズを反転した信号を上記アナログ映像信号に加算することを特徴とする請求項１に記載の映像信号処理装置。
【請求項３】
上記アナログ信号処理部は、上記アナログ映像信号をＡ／Ｄ変換する一方で、上記ノイズ検出ラインにより検出されたノイズをＡ／Ｄ変換した後に反転処理し、該Ａ／Ｄ変換した後に反転処理した上記ノイズを上記Ａ／Ｄ変換したアナログ映像信号に加算することを特徴とする請求項２に記載の映像信号処理装置。
【請求項４】
上記アナログ映像信号は、外部機器から外部入力端子に入力された映像信号であることを特徴とする請求項１乃至３の何れかに記載の映像信号処理装置。
【請求項５】
上記外部入力端子は、薄型テレビジョン装置に備えられたものであり、
上記外来ノイズは、上記薄型テレビジョン装置の機内ノイズであり、
上記アナログ信号処理部は、上記薄型テレビジョン装置内に備えられた信号処理ＩＣであり、
上記映像信号ラインは、上記外部入力端子から上記信号処理ＩＣまでの信号伝送ラインであり、
上記ノイズ検出ラインは、一方の端部が上記信号処理ＩＣに接続されると共に、他方の端部が抵抗を介して接地されることを特徴とする請求項４に記載の映像信号処理装置。 
【発明の詳細な説明】
【技術分野】
【０００１】
本発明は、映像信号処理装置に係り、特に、アナログ映像信号から外来ノイズを除去する映像信号処理装置に関する。
【背景技術】
【０００２】
基板パターンやワイヤー等の映像信号ラインを介してアナログ映像信号を伝送する場合、外来ノイズの飛び込みにより画面ノイズが現れ、映像Ｓ／Ｎ比が悪化する可能性があった。本来ノイズ源を絶つことが基本であるがそれが困難な場合がある。そこで、アナログ映像信号への外来ノイズの飛び込みに対して、そのアナログ映像信号から外来ノイズを除去する映像信号処理装置がよく知られている。
【０００３】
例えば、特許文献１には、信号近傍のノイズが重畳する信号からそのノイズを除去するノイズ除去装置であって、信号帯域内の周波数を用いて信号を選択出力する第１ミキサ部と、信号帯域外の周波数を用いて信号近傍のノイズだけを選択出力する第２ミキサ部と、第１ミキサ部からの信号を第１受信部により受信する主信号受信部と、第２ミキサ部からのノイズを第１受信部と同じ受信特性を有する第２受信部により受信部により受信するノイズ検出部と、主信号受信部で受信した信号からノイズ検出部で受信したノイズを減算処理することで受信した信号に重畳するノイズを除去する減算処理部とで構成されるノイズ除去装置が開示されている。
【特許文献１】特開２００４−２５４１８４号公報
【発明の開示】
【発明が解決しようとする課題】
【０００４】
しかしながら、上記特許文献１に示されたノイズ除去装置では、既にノイズが重畳した信号からそのノイズだけを選択して検出しており、ノイズのみを精度良く検出できずノイズを適切に低減できない可能性があった。
【０００５】
本発明は上記課題に鑑みて為されたもので、その目的とするところは、映像信号ラインを介して伝送されるアナログ映像信号から外来ノイズを適切に低減して映像Ｓ／Ｎ比を向上することができる映像信号処理装置を提供することにある。
【課題を解決するための手段】
【０００６】
上記目的を達成するための請求項１に記載の発明は、映像信号ラインを介して伝送されるアナログ映像信号から外来ノイズを除去する映像信号処理装置において、上記アナログ映像信号が上記映像信号ラインを介して伝送されるときに重畳される外来ノイズに相当するノイズを検出するように、その映像信号ラインに並行して配設されるノイズ検出ラインと、上記アナログ映像信号に重畳した外来ノイズを上記ノイズ検出ラインにより検出されたノイズを用いて相殺するアナログ信号処理部とを、備えることにある。
【０００７】
上記のように構成された本発明の映像信号処理装置において、映像信号ラインに並行して配設されるノイズ検出ラインによりアナログ映像信号がその映像信号ラインを介して伝送されるときに重畳される外来ノイズに相当するノイズが検出され、アナログ信号処理部によりアナログ映像信号に重畳した外来ノイズがノイズ検出ラインにより検出されたノイズを用いて相殺されることから、アナログ映像信号の原信号に近い信号が得られる。つまり、映像信号ラインを介して伝送されるアナログ映像信号から外来ノイズを適切に低減することができる。また、映像信号ラインに並行してノイズ検出ラインが配設されることから、アナログ信号処理部においてアナログ映像信号に重畳した外来ノイズとノイズ検出ラインにより検出されたノイズとの位相合わせやレベル合わせが必要なくなる。
【０００８】
また、請求項２に記載の発明は、請求項１に記載の映像信号処理装置において、上記アナログ信号処理部は、上記ノイズ検出ラインにより検出されたノイズを反転した信号を上記アナログ映像信号に加算することにある。
【０００９】
上記のように構成された請求項１に記載の映像信号処理装置において、アナログ信号処理部はノイズ検出ラインにより検出されたノイズを反転した信号をアナログ映像信号に加算することで、アナログ映像信号に重畳した外来ノイズをノイズ検出ラインにより検出されたノイズを用いて適切に相殺することができる。
【００１０】
また、請求項３に記載の発明は、請求項２に記載の映像信号処理装置において、上記アナログ信号処理部は、上記アナログ映像信号をＡ／Ｄ変換する一方で、上記ノイズ検出ラインにより検出されたノイズをＡ／Ｄ変換した後に反転処理し、そのＡ／Ｄ変換した後に反転処理した上記ノイズを上記Ａ／Ｄ変換したアナログ映像信号に加算することにある。
【００１１】
上記のように構成された請求項２に記載の映像信号処理装置において、アナログ信号処理部によりアナログ映像信号やノイズ検出ラインにより検出されたノイズがＡ／Ｄ変換され、アナログ映像信号に重畳した外来ノイズがノイズ検出ラインにより検出されたノイズを用いてデジタル処理により適切に相殺される。
【００１２】
また、請求項４に記載の発明は、請求項１乃至３の何れかに記載の映像信号処理装置において、上記アナログ映像信号は、外部機器から外部入力端子に入力された映像信号である。
【００１３】
上記のように構成された請求項１乃至３の何れかに記載の映像信号処理装置において、外部機器から外部入力端子に入力された映像信号が伝送されるときに重畳された外来ノイズがノイズ検出ラインにより検出されたノイズを用いて適切に相殺される。
【００１４】
また、請求項５に記載の発明は、請求項４に記載の映像信号処理装置において、上記外部入力端子は、薄型テレビジョン装置に備えられたものであり、上記外来ノイズは、上記薄型テレビジョン装置の機内ノイズであり、上記アナログ信号処理部は、上記薄型テレビジョン装置内に備えられた信号処理ＩＣであり、上記映像信号ラインは、上記外部入力端子から上記信号処理ＩＣまでの信号伝送ラインであり、上記ノイズ検出ラインは、一方の端部が上記信号処理ＩＣに接続されると共に、他方の端部が抵抗を介して接地されることにある。
【００１５】
上記のように構成された請求項４に記載の映像信号処理装置において、薄型テレビジョン装置に備えられた外部入力端子を介して入力されたアナログ映像信号をその薄型テレビジョン装置内に備えられた信号処理ＩＣまで伝送する映像信号ラインに並行してノイズ検出ラインが配設され、そのノイズ検出ラインは一方の端部が信号処理ＩＣに接続されると共に他方の端部が抵抗を介して接地されることから、ノイズ検出ラインはアンテナとなって外部機器から外部入力端子を介して入力されたアナログ映像信号に重畳した薄型テレビジョン装置の機内ノイズに相当するノイズを適切に検出できると共に、そのアナログ映像信号に重畳した機内ノイズがノイズ検出ラインにより検出されたノイズを用いて適切に相殺される。
【発明の効果】
【００１６】
以上説明したように、請求項１に記載の発明によれば、映像信号ラインを介して伝送されるアナログ映像信号から外来ノイズが適切に低減されるので、映像Ｓ／Ｎ比を向上することができる。また、アナログ信号処理部においてアナログ映像信号に重畳した外来ノイズとノイズ検出ラインにより検出されたノイズとの位相合わせやレベル合わせが必要なくなるので、映像信号ラインを介して伝送されるアナログ映像信号から外来ノイズが簡単に低減される。
【００１７】
また、請求項２に記載の発明によれば、アナログ映像信号に重畳した外来ノイズがノイズ検出ラインにより検出されたノイズを用いて適切に相殺されるので、映像信号ラインを介して伝送されるアナログ映像信号から外来ノイズが適切に低減される。
【００１８】
また、請求項３に記載の発明によれば、デジタル処理によりアナログ映像信号に重畳した外来ノイズがノイズ検出ラインにより検出されたノイズを用いて適切に相殺されるので、映像信号ラインを介して伝送されるアナログ映像信号から外来ノイズが簡単に低減される。
【００１９】
また、請求項４に記載の発明によれば、外部機器から外部入力端子に入力された映像信号が伝送されるときに重畳された外来ノイズがノイズ検出ラインにより検出されたノイズを用いて適切に相殺されるので、外部機器からの映像信号に基づく映像において映像Ｓ／Ｎ比を向上することができる。
【００２０】
また、請求項５に記載の発明によれば、ノイズ検出ラインはアンテナとなって外部機器から外部入力端子を介して入力されたアナログ映像信号に重畳した薄型テレビジョン装置の機内ノイズに相当するノイズが適切に検出されると共に、そのアナログ映像信号に重畳した機内ノイズがノイズ検出ラインにより検出されたノイズを用いて適切に相殺されるので、外部機器からの映像信号に基づく映像において映像Ｓ／Ｎ比を向上することができる。また、例えば薄型テレビジョン装置の大型化によって映像信号ラインが長くなったとしても、映像信号ラインを介して伝送されるアナログ映像信号から外来ノイズが適切に低減される。
【発明を実施するための最良の形態】
【００２１】
以下、下記の項目に従って本発明の実施形態を図面を参照しつつ説明する。
（１）液晶テレビジョン装置の概略構成
（２）映像信号処理装置の構成
（３）まとめ
【００２２】
（１）液晶テレビジョン装置の概略構成
以下、図１、２を参照して本発明が適用される液晶テレビジョン装置１０の概略構成を説明する。図１は液晶テレビジョン装置１０を示す斜視図であり、図２は液晶テレビジョン装置１０のブロック構成図である。尚、本実施形態では本発明が適用される装置として液晶テレビジョン装置を例示するが、この実施形態に限定されるものではなく、アナログ映像信号に基づく映像を表示するための各種処理を施す映像信号処理装置を備えておれば本発明は適用され得る。また、液晶テレビジョン装置を例にして本発明を説明するが、アナログ映像信号に基づく映像を表示可能な表示装置であれば、例えばプラズマテレビやリアプロジェクションテレビや有機ＥＬテレビ等の薄型テレビジョン装置、テレビ機能を有しない液晶ディスプレイやプラズマディスプレイ等の薄型ディスプレイ、或いはスクリーンに映像を投影するプロジェクタ装置であれば、本発明の要旨を逸脱しない範囲で種々の変形実施の形態が可能である。
【００２３】
図１、図２において、液晶テレビジョン装置１０は、チューナ１１と、フロントエンド１２と、デコーダ１３と、ＯＳＤ回路１４と、音声出力部１５と、画像表示部１６と、リモコン受信部１７と、マイコン１８と、電源回路１９と、外部入力端子２０と、外部入力信号処理部２１と、スイッチ回路２２とを備えている。
【００２４】
チューナ１１は、例えばアンテナ２３と接続されており、マイコン１８から入力される制御信号に従って、アンテナ２３で受信されるテレビジョン放送信号の中から１つのチャンネル（例えばユーザによって選局されたチャンネル）に対応するテレビジョン放送信号を取得してフロントエンド１２に出力する。
【００２５】
フロントエンド１２は、例えばマイコン１８から入力される制御信号に従って、チューナ１１から出力されたテレビジョン放送信号を中間周波信号に変換して、デコーダ１３に出力する。
【００２６】
デコーダ１３は、例えばマイコン１８から入力される制御信号に従って、フロントエンド１２から出力された中間周波信号に対して所定のファイル形式（例えばよく知られたＭＰＥＧ−２形式等）に応じた処理を施すことによって、その中間周波信号を音声信号と映像信号とに分離してデコードする。そして、スイッチ回路２２を介してそのデコードした音声信号を音声出力部１５へ出力するとともに、映像信号を画像表示部１６へ出力する。
【００２７】
外部入力端子２０は、外部機器２４から出力されたアナログ映像信号とアナログ音声信号を入力するための端子である。アナログ映像信号を入力するための端子は、例えばコンポジット端子、Ｓ端子、コンポーネント端子等である。また、外部機器２４は、コンポジット映像信号、Ｓ映像信号、コンポーネント映像信号を出力可能なＤＶＤ再生機やビデオテープ再生機等である。
【００２８】
外部入力信号処理部２１は、外部機器２４から出力されたアナログ映像信号とアナログ音声信号に所定の処理を施してそれぞれデジタル信号に変換する。そして、スイッチ回路２２を介してその変換した音声信号を音声出力部１５へ出力するとともに、映像信号を画像表示部１６へ出力する。
【００２９】
スイッチ回路２２は、例えばマイコン１８からの制御信号に従って、デコーダ１３からの音声信号および映像信号、或いは外部入力信号処理部２１からの音声信号および映像信号を音声出力部１５および画像表示部１６へそれぞれ出力する。
【００３０】
ＯＳＤ回路１４は、例えばマイコン１８から入力される制御信号に従って、画像表示部１６に所定のＯＳＤ表示（オンスクリーンディスプレイ表示）をさせるためのＯＳＤ表示信号を、スイッチ回路２２から画像表示部１６へ出力される映像信号に合成する。
【００３１】
音声出力部１５は、例えば音声出力アンプＩＣ（Ｄ−ＡＭＰ）１５ａやスピーカ１５ｂなどを有し、音声出力アンプＩＣ１５ａによりスイッチ回路２２から入力された音声信号に電力増幅等の所定の処理を施して、その音声信号に基づく音声データに応じた音声をスピーカ１５ｂから出力する。
【００３２】
画像表示部１６は、例えばパネル駆動回路１６ａや液晶パネル１６ｂなどを有し、スイッチ回路２２から出力された映像信号に基づく画像データに応じた画像や、スイッチ回路２２から出力されてＯＳＤ回路１４によりＯＳＤ表示信号が合成された映像信号に基づく画像データに応じた画像を表示する。
【００３３】
リモコン受信部１７は、例えばリモコン２５から送信された各種赤外線信号（制御コマンド）を受信し、それら各種信号に基づく各種データをマイコン１８へ出力する。
【００３４】
リモコン２５は、例えばユーザによって操作され、その操作に応じた赤外線信号をリモコン受信部１７へ送信する。
【００３５】
マイコン１８は、例えばＣＰＵ１８ａやＲＡＭ１８ｂやＲＯＭ１８ｃなどを有し、液晶テレビジョン装置１０の動作を制御する。例えば、マイコン１８は、リモコン受信部１７で受信した制御コマンドに基づいてチャンネルの切換え、音量のアップ／ダウン等を制御する。
【００３６】
ＣＰＵ１８ａは、ＲＯＭ１８ｃに記憶された液晶テレビジョン装置１０用の各種処理プログラムに従って、各種の制御動作を行う。
【００３７】
ＲＡＭ１８ｂは、ＣＰＵ１８ａによって実行される処理プログラムなどを展開するためのプログラム格納領域や、入力データや上記処理プログラムが実行される際に生じる処理結果などを格納するデータ格納領域などを備える。
【００３８】
ＲＯＭ１８ｃは、液晶テレビジョン装置１０で実行可能なシステムプログラム、そのシステムプログラムで実行可能な各種処理プログラム、これら各種処理プログラムを実行する際に使用されるデータ、ＣＰＵ１８ａによって演算処理された各種結果のデータなどを記憶する。なお、プログラムは、コンピュータが読み取り可能なプログラムコードの形でＲＯＭ１８ｃに記憶されている。
【００３９】
電源回路１９は、例えば部分共振電源回路であり、商用ＡＣ電源を複数種類の所定の電圧に変換して液晶テレビジョン装置１０の各部へ動作電源電圧を出力する。
【００４０】
（２）映像信号処理装置の構成
以下、図３を参照して外部入力信号処理部２１を詳細に説明する。図３は、外部入力信号処理部２１の構成の一例を示すブロック図である。図３において、外部入力信号処理部２１は、映像信号ライン３０と、ノイズ検出ライン３１と、アナログ信号処理部３２とを備え、外部機器２４から外部入力端子２０に入力されて映像信号ライン３０を介して伝送されるアナログ映像信号から外来ノイズを除去する映像信号処理装置としても機能する。この外来ノイズは、例えば電源回路１９が備えるトランスからのノイズや液晶パネル１６ｂの背面から光を照射するバックライトを駆動するためのインバータからのノイズ等の液晶テレビジョン装置１０の機内ノイズである。
【００４１】
映像信号ライン３０は、一方が外部入力端子２０に且つ他方がアナログ信号処理部３２に接続されて、外部入力端子２０に入力されたアナログ映像信号を外部入力端子２０からアナログ信号処理部３２まで伝送するための信号伝送ラインである。映像信号ライン３０は、例えば信号伝送ラインに直列に接続されたコンデンサＣ１と、一方が外部入力端子２０に接続され且つ他方が接地される抵抗Ｒ１とから構成されている。
【００４２】
ノイズ検出ライン３１は、映像信号ライン３０に並行して配設され、外部入力端子２０に入力されたアナログ映像信号が映像信号ライン３０を介してアナログ信号処理部３２へ伝送されるときに重畳される外来ノイズに相当するノイズを検出する。つまり、映像信号ライン３０と略同じ経路でノイズ検出ライン３１を配設することで、アナログ映像信号が映像信号ライン３０を介して伝送されるときにそのアナログ映像信号に飛び込んでくる外来ノイズと略同じノイズを検出することが可能なアンテナとしてノイズ検出ライン３１を機能させる。ノイズ検出ライン３１は、例えば一方の端部がアナログ信号処理部３２に接続されると共に、外部入力端子２０付近にて他方の端部が抵抗Ｒ２を介して接地される。
【００４３】
アナログ信号処理部３２は、外部入力端子２０に入力されたアナログ映像信号に重畳した外来ノイズをノイズ検出ライン３１により検出されたノイズを用いて相殺する。アナログ信号処理部３２は、例えばノイズ検出ライン３１により検出されたノイズを反転した信号を映像信号ライン３０を介して伝送されたアナログ映像信号に加算する機能を有した信号処理ＩＣで構成されている。より具体的には、アナログ信号処理部３２は、映像信号ライン３０を介して伝送されたアナログ映像信号をＡ／Ｄ変換する第１Ａ／Ｄ変換部３３と、ノイズ検出ライン３１により検出されたノイズをＡ／Ｄ変換する第２Ａ／Ｄ変換部３４と、第２Ａ／Ｄ変換部３４によりＡ／Ｄ変換されたノイズを反転処理する反転処理部３５と、Ａ／Ｄ変換後に反転処理部３５により反転処理されたノイズを第１Ａ／Ｄ変換部３３によりＡ／Ｄ変換されたアナログ映像信号に加算する演算処理部３６とから構成されるワンチップＩＣである。
【００４４】
このように構成された外部入力信号処理部２１において、図３の信号波形に示すように、外来ノイズが重畳した映像信号ライン３０のアナログ映像信号の波形からその外来ノイズに相当するノイズ検出ライン３１のノイズの波形をアナログ信号処理部３２にて差し引いてやることで、外部機器２４から外部入力端子２０に入力されるアナログ映像信号の原信号に近い信号が得られる。また、映像信号ライン３０に並行してノイズ検出ライン３１が配設されることから、外来ノイズとノイズ検出ライン３１により検出されるノイズとの位相やレベルが略同じとなり、外来ノイズをノイズ検出ライン３１により検出されるノイズを用いて相殺するときに位相合わせやレベル合わせが必要なくなる。また、例えば液晶テレビジョン装置１０の大型化に伴って映像信号ライン３０が長くされたとしても、映像信号ライン３０を伝送されるときに飛び込む外来ノイズに相当するノイズをノイズ検出ライン３１により適切に検出することができる。
【００４５】
（４）まとめ
上述のように、本実施例によれば、映像信号ライン３０を介して伝送されるアナログ映像信号に重畳した外来ノイズがノイズ検出ライン３１により検出されたノイズを用いてアナログ信号処理部３２にてデジタル処理により適切に相殺されてそのアナログ映像信号から外来ノイズが適切に低減されるので、映像Ｓ／Ｎ比を向上することができる。また、アナログ信号処理部３２においてアナログ映像信号に重畳した外来ノイズとノイズ検出ライン３１により検出されたノイズとの位相合わせやレベル合わせが必要なくなるので、アナログ信号処理部３２を簡単な構成とすることが可能となると共に、映像信号ライン３０を介して伝送されるアナログ映像信号から外来ノイズが簡単に低減される。
【００４６】
また、本実施例によれば、ノイズ検出ライン３１はアンテナとなって外部機器２４から外部入力端子２０を介して入力されたアナログ映像信号に重畳した液晶テレビジョン装置１０の機内ノイズに相当するノイズが適切に検出されると共に、そのアナログ映像信号に重畳した機内ノイズがノイズ検出ライン３１により検出されたノイズを用いて適切に相殺されるので、外部機器２４からのアナログ映像信号に基づく映像において映像Ｓ／Ｎ比を向上することができる。また、例えば液晶テレビジョン装置１０の大型化に伴って映像信号ライン３０が長くされたとしても、映像信号ライン３０を伝送されるときに飛び込む外来ノイズに相当するノイズをノイズ検出ライン３１により適切に検出することができるので、映像信号ライン３０を介して伝送されるアナログ映像信号からその外来ノイズが適切に低減される。
【００４７】
以上、本発明の実施例を図面に基づいて詳細に説明したが、上述したのはあくまでも一実施形態であり、本発明は当業者の知識に基づいて種々の変更、改良を加えた態様で実施することができる。
【図面の簡単な説明】
【００４８】
【図１】本発明が適用される液晶テレビジョン装置の一例を示す斜視図である。
【図２】液晶テレビジョン装置のブロック構成図である。
【図３】外部入力信号処理部の構成の一例を示すブロック図である。
【符号の説明】
【００４９】
１０：液晶テレビジョン装置（薄型テレビジョン装置）
２０：外部入力端子
２１：外部入力信号処理部（映像信号処理装置）
２４：外部機器
３０：映像信号ライン
３１：ノイズ検出ライン
３２：アナログ信号処理部（信号処理ＩＣ）
Ｒ２：抵抗 
【図１】
2008301032.tif 000003
【図２】
2008301032.tif 000004
【図３】
2008301032.tif 000005